(57)【要約】【課題】１つの導光板を複数の発光態様で発光させる。【解決手段】灯具１は、前面６ｃを出光面とするインナーレンズ６と、インナーレンズ６に沿った第一の光軸Ａｘ１を有し、インナーレンズ６の左端面６ａに対向する第一ＬＥＤ４と、第一の光軸Ａｘ１と交わるとともにインナーレンズ６に沿った第二の光軸Ａｘ２を有し、インナーレンズ６の下端面６ｂに対向する第二ＬＥＤ５とを備える。インナーレンズ６は、後面６ｄのうち、第一ＬＥＤ４の第一光軸方向Ｘに位置するとともに、第二ＬＥＤ５の第二光軸方向Ｙに位置していない第一カット領域Ｄ１に、第一ＬＥＤ４からの光を前面６ｃへ反射させる第一のカット６１を有し、第二ＬＥＤ５の第二光軸方向Ｙに位置するとともに、第一ＬＥＤ４の第一光軸方向Ｘに位置していない第二カット領域Ｄ２に、第二ＬＥＤ５からの光を前面６ｃへ反射させる第二のカット６２を有する。【選択図】図５
2013168268.tif 000002
【特許請求の範囲】
【請求項１】
一方の主面を出光面とする導光板と、
前記導光板に沿った第一の光軸を有し、前記導光板の端面のうち、前記第一の光軸に沿った第一光軸方向と直交する一端面に対向する第一の光源と、
前記第一の光軸と交わるとともに前記導光板に沿った第二の光軸を有し、前記導光板の端面のうち、前記第二の光軸に沿った第二光軸方向と直交する他端面に対向する第二の光源と、
を備え、
前記導光板は、
前記出光面とは反対側の他方の主面のうち、前記第一の光源の前記第一光軸方向に位置するとともに、前記第二の光源の前記第二光軸方向に位置していない第一カット領域に、前記第一の光源から出射される光を前記出光面へ反射させる第一のカットを有し、
前記他方の主面のうち、前記第二の光源の前記第二光軸方向に位置するとともに、前記第一の光源の前記第一光軸方向に位置していない第二カット領域に、前記第二の光源から出射される光を前記出光面へ反射させる第二のカットを有することを特徴とする灯具。
【請求項２】
前記第一の光源は、互いに所定間隔を空けつつ前記一端面に沿って複数並設され、
前記第二の光源は、互いに所定間隔を空けつつ前記他端面に沿って複数並設され、
前記導光板の前記他方の主面には、前記第一光軸方向及び前記第二光軸方向の各方向に沿って、前記第一カット領域と前記第二カット領域とが交互に形成されていることを特徴とする請求項１に記載の灯具。
【発明の詳細な説明】
【技術分野】
【０００１】
本発明は、導光板を備える灯具に関する。
【背景技術】
【０００２】
従来、光源からの光を導光板で導光させて当該導光板の主面を発光させる灯具が知られている（例えば、特許文献１参照）。この種の灯具では、端面から導光板内に入射させた光を一方の主面で反射させ、他方の主面から出射させることによって、この他方の主面を発光させている。
【先行技術文献】
【特許文献】
【０００３】
【特許文献１】特許第４４９９６４２号公報
【発明の概要】
【発明が解決しようとする課題】
【０００４】
しかしながら、上記従来の灯具では、導光板の主面の形状に対応した１つの発光形状でしか当該導光板を発光させることができず、つまり、１つの導光板を複数の発光態様で発光させることができなかった。
なお、導光板の主面の一部をエクステンション等で覆う（遮光する）ことによって、導光板の主面の形状とは異なる発光形状を実現することは可能であるものの、この場合には、複数の発光態様の実現が困難であることに加え、エクステンション等で覆われた導光板部分を発光させる光がロスとなってしまうため、好ましい構成とは言い難い。
【０００５】
本発明は、上記事情を鑑みてなされたもので、１つの導光板を複数の発光態様で発光させることができる灯具の提供を課題とする。
【課題を解決するための手段】
【０００６】
上記課題を解決するために、本発明は、灯具であって、
一方の主面を出光面とする導光板と、
前記導光板に沿った第一の光軸を有し、前記導光板の端面のうち、前記第一の光軸に沿った第一光軸方向と直交する一端面に対向する第一の光源と、
前記第一の光軸と交わるとともに前記導光板に沿った第二の光軸を有し、前記導光板の端面のうち、前記第二の光軸に沿った第二光軸方向と直交する他端面に対向する第二の光源と、
を備え、
前記導光板は、
前記出光面とは反対側の他方の主面のうち、前記第一の光源の前記第一光軸方向に位置するとともに、前記第二の光源の前記第二光軸方向に位置していない第一カット領域に、前記第一の光源から出射される光を前記出光面へ反射させる第一のカットを有し、
前記他方の主面のうち、前記第二の光源の前記第二光軸方向に位置するとともに、前記第一の光源の前記第一光軸方向に位置していない第二カット領域に、前記第二の光源から出射される光を前記出光面へ反射させる第二のカットを有することを特徴とする。
【発明の効果】
【０００７】
本発明によれば、第一の光源を点灯させたときに、この第一の光源から出射された光が一端面から導光板内に入射し、当該導光板内を第一の光軸に沿って第一光軸方向へ導光する。そして、この光は、第一の光源の第一光軸方向に位置する第一カット領域の第一のカットで反射されて、出光面から導光板外へ出射される。そのため、灯具を前方から見たときに、導光板の第一カット領域のみが発光して見える。
また、第二の光源を点灯させたときには、この第二の光源から出射された光が他端面から導光板内に入射し、当該導光板内を第二の光軸に沿って第二光軸方向へ導光する。そして、この光は、第二の光源の第二光軸方向に位置する各第二カット領域の第二のカットで反射されて、出光面から導光板外へ出射される。そのため、灯具を前方から見たときに、導光板の第二カット領域のみが発光して見える。
したがって、第一の光源及び第二の光源の点灯を制御することにより、導光板のうちの異なる領域を個別に（又は同時に）発光させることができ、つまりは、１つの導光板を複数の発光態様で発光させることができる。
【図面の簡単な説明】
【０００８】
【図１】実施形態における灯具の斜視図である。
【図２】実施形態における灯具の分解斜視図である。
【図３】図１のII−II線での断面図である。
【図４】図１のIII−III線での断面図である。
【図５】実施形態における灯具の発光態様を説明するための模式図である。
【発明を実施するための形態】
【０００９】
以下、本発明の実施形態について、図面を参照して説明する。
図１は、本実施形態における灯具１の斜視図であり、図２は、灯具１の分解斜視図であり、図３及び図４は、図１のII−II線及びIII−III線での断面図である。
なお、以下の説明では、「前」「後」「左」「右」「上」「下」との記載は、特に断りのない限り、灯具１から見た方向を意味するものとする。
【００１０】
図１〜図４に示すように、灯具１は、図示しない車両の後部左側に搭載されるリアランプであり、前面が開口したハウジング２と、当該ハウジング２の前面開口を覆う素通しのアウターレンズ３とを備えている。ハウジング２及びアウターレンズ３で形成される灯室の内部には、複数の第一ＬＥＤ（発光ダイオード）４，…と、複数の第二ＬＥＤ（発光ダイオード）５，…と、略平板状のインナーレンズ６とが収容されている。
【００１１】
このうち、複数の第一ＬＥＤ４，…は、互いに所定間隔を空けつつインナーレンズ６に沿って上下方向へ並設された状態で、ハウジング２に固定された共通の基板４１に支持されている。各第一ＬＥＤ４は、インナーレンズ６に沿って略左右方向へ延在する第一の光軸Ａｘ１を有しており、インナーレンズ６の端面のうち、第一の光軸Ａｘ１に沿った方向（以下、第一光軸方向という）Ｘと略直交する左端面６ａに、発光面が対向している。
【００１２】
複数の第二ＬＥＤ５，…は、互いに所定間隔を空けつつインナーレンズ６に沿って略左右方向へ並設された状態で、ハウジング２に固定された共通の基板５１に支持されている。各第二ＬＥＤ５は、インナーレンズ６に沿って上下方向へ延在する第二の光軸Ａｘ２を有しており、インナーレンズ６の端面のうち、第二の光軸Ａｘ２に沿った方向（以下、第二光軸方向という）Ｙと略直交する下端面６ｂに、発光面が対向している。
【００１３】
インナーレンズ６は、本発明に係る導光板であり、左端から右端に向かってやや後方へ傾斜しつつ前後方向と略直交するように立設された状態で、ハウジング２及びエクステンション７によって周縁を支持されている。このインナーレンズ６は、その一方の主面をなす前面６ｃが出光面とされており、上述のように左端面６ａ及び下端面６ｂと対向配置された第一ＬＥＤ４，…及び第二ＬＥＤ５，…からの光が、前面６ｃとは反対側の後面６ｄで反射されて当該前面６ｃから出射するように構成されている。
【００１４】
インナーレンズ６の後面６ｄには、第一ＬＥＤ４，…及び第二ＬＥＤ５，…から出射されて当該インナーレンズ６内に入射した光を個別に反射させる第一のカット６１及び第二のカット６２が形成されている。
このうち、第一のカット６１は、インナーレンズ６の後面６ｄのうち、第一ＬＥＤ４，…の第一光軸方向Ｘに位置するとともに、第二ＬＥＤ５，…の第二光軸方向Ｙに位置していない第一カット領域Ｄ１，…（図１及び図２にドット状のハッチングで示す領域）にそれぞれ形成されている。この第一のカット６１は、第一ＬＥＤ４から出射されてインナーレンズ６内を第一光軸方向Ｘへ導光する光を、前面６ｃへ内部反射させる。
一方、第二のカット６２は、インナーレンズ６の後面６ｄのうち、第二ＬＥＤ５，…の第二光軸方向Ｙに位置するとともに、第一ＬＥＤ４，…の第一光軸方向Ｘに位置していない第二カット領域Ｄ２，…（図１及び図２に斜線状のハッチングで示す領域）にそれぞれ形成されている。この第二のカット６２は、第二ＬＥＤ５から出射されてインナーレンズ６内を第二光軸方向Ｙへ導光する光を、前面６ｃへ内部反射させる。
【００１５】
また、第一のカット６１と第二のカット６２（第一カット領域Ｄ１と第二カット領域Ｄ２）とは、インナーレンズ６の後面６ｄにおいて、第一光軸方向Ｘ及び第二光軸方向Ｙの各方向に沿って交互に形成されている。また、インナーレンズ６の後面６ｄのうち、第一カット領域Ｄ１，…及び第二カット領域Ｄ２，…を除く領域、すなわち、第一ＬＥＤ４，…の第一光軸方向Ｘに位置するとともに第二ＬＥＤ５，…の第二光軸方向Ｙにも位置する領域には、一切のレンズカットが形成されていない。そのため、インナーレンズ６の後面６ｄには、第一のカット６１と第二のカット６２（第一カット領域Ｄ１と第二カット領域Ｄ２）とが、全体として市松模様状に形成されている。
【００１６】
続いて、灯具１の発光態様について、図５を参照して説明する。図５は、灯具１の発光態様を説明するための模式図である。
この図に示すように、灯具１において第一ＬＥＤ４，…を点灯させると、この第一ＬＥＤ４，…から出射された光が左端面６ａからインナーレンズ６内に入射し、当該インナーレンズ６内を第一の光軸Ａｘ１に沿って第一光軸方向Ｘへ導光する。そして、この光は、第一ＬＥＤ４，…の第一光軸方向Ｘに位置する各第一カット領域Ｄ１の第一のカット６１で前方へ内部反射されて、前面６ｃからインナーレンズ６外へ出射される。そのため、灯具１を前方から見たときに、アウターレンズ３を通じて、インナーレンズ６の第一カット領域Ｄ１，…のみが発光して見える。本実施形態においては、このインナーレンズ６の第一カット領域Ｄ１，…を、図示しない車両のテールランプとして発光させる。
【００１７】
一方、第二ＬＥＤ５，…を点灯させた場合には、この第二ＬＥＤ５，…から出射された光が下端面６ｂからインナーレンズ６内に入射し、当該インナーレンズ６内を第二の光軸Ａｘ２に沿って第二光軸方向Ｙへ導光する。そして、この光は、第二ＬＥＤ５，…の第二光軸方向Ｙに位置する各第二カット領域Ｄ２の第二のカット６２で前方へ内部反射されて、前面６ｃからインナーレンズ６外へ出射される。そのため、灯具１を前方から見たときに、アウターレンズ３を通じて、インナーレンズ６の第二カット領域Ｄ２，…のみが発光して見える。本実施形態においては、このインナーレンズ６の第二カット領域Ｄ２，…を、図示しない車両のストップランプとして発光させる。
【００１８】
また、第一ＬＥＤ４，…及び第二ＬＥＤ５，…の両方を点灯させた場合には、これら第一ＬＥＤ４，…及び第二ＬＥＤ５，…が上述と同様にして第一カット領域Ｄ１，…及び第二カット領域Ｄ２，…を個別に発光させるため、灯具１を前方から見たときに、アウターレンズ３を通じて、インナーレンズ６の第一カット領域Ｄ１，…及び第二カット領域Ｄ２，…の両方が発光して見える。
【００１９】
以上のように、灯具１によれば、第一ＬＥＤ４，…及び第二ＬＥＤ５，…の点灯を制御することにより、インナーレンズ６のうち、互いに異なる領域である第一カット領域Ｄ１，…及び第二カット領域Ｄ２，…を個別に、又は同時に発光させることができる。したがって、１つのインナーレンズ６を複数の発光態様で発光させることができる。
【００２０】
なお、本発明を適用可能な実施形態は、上述した実施形態に限定されることなく、本発明の趣旨を逸脱しない範囲で適宜変更可能である。
【００２１】
例えば、上記実施形態では、車両の後部に搭載されるリアランプである灯具１について説明したが、本発明は、導光板（インナーレンズ）を備えるものであれば、リアランプ以外の車両用灯具は勿論のこと、車両用灯具以外の灯具にも適用可能である。
【００２２】
また、第一ＬＥＤ４の第一の光軸Ａｘ１（第一光軸方向Ｘ）と、第二ＬＥＤ５の第二の光軸Ａｘ２（第二光軸方向Ｙ）とは、略直交するものとして説明したが、互いに交わるものであれば直交していなくともよい。
【００２３】
また、インナーレンズ６の後面６ｄのうち、第一カット領域Ｄ１，…及び第二カット領域Ｄ２，…を除く領域には、一切のレンズカットが形成されていないこととして説明したが、当該領域は、例えばインナーレンズ６の後方に第三の光源を配置して、この第三の光源によって発光するように構成してもよい。
【符号の説明】
【００２４】
１          灯具
２          ハウジング
３          アウターレンズ
４          第一ＬＥＤ（第一の光源）
Ａｘ１    第一の光軸
５          第二ＬＥＤ（第二の光源）
Ａｘ２    第二の光軸
６          インナーレンズ（導光板）
６ａ      左端面（一端面）
６ｂ      下端面（他端面）
６ｃ      前面（一方の主面）
６ｄ      後面（他方の主面）
Ｄ１    第一カット領域
６１  第一のカット
Ｄ２    第二カット領域
６２  第二のカット
７          エクステンション
Ｘ          第一光軸方向
Ｙ          第二光軸方向
【図１】
2013168268.tif 000003
【図２】
2013168268.tif 000004
【図３】
2013168268.tif 000005
【図４】
2013168268.tif 000006
【図５】
2013168268.tif 000007